(57)【要約】  透明電極層、ＥＬ層及び誘電体層が順次積層されている固定パターン部と、透明電極層、ＥＬ層、誘電体層及び複数のピクセル電極層が順次積層されている流動パターン部とのうちの少なくとも何れか一つからなるＥＬ広告領域が少なくとも１領域に形成され；残りの領域には一般染料の印刷が可能な一般広告領域が形成されている光透過性印刷シートと；上記固定パターン部に対応する上記誘電体層が発光パターンを有するように導電性インク材料により積層印刷されるパターン電極層と；を含む発光広告シート及びその製造方法を提供する。
2010526410.tif 000002
【特許請求の範囲】
【請求項１】
透明電極層、ＥＬ層及び誘電体層が順次積層されている固定パターン部と、透明電極層、ＥＬ層、誘電体層及び複数のピクセル電極層が順次積層されている流動パターン部とのうちの少なくとも何れか一つからなるＥＬ広告領域が少なくとも１領域に形成され；
残りの領域には一般染料の印刷が可能な一般広告領域が形成されている光透過性印刷シートと；
上記固定パターン部に対応する上記誘電体層が発光パターンを有するように導電性インク材料により積層印刷されるパターン電極層と；
を含むことを特徴とする発光広告シート。
【請求項２】
前記パターン電極層の積層印刷は、インクジェットプリンティング方法又はスクリーンプリンティング方法を利用して積層印刷されることを特徴とする請求項１記載の発光広告シート。
【請求項３】
前記パターン電極層のインク材料は、低温硬化される導電性インク材料か、又はＵＶ硬化性光開始剤を含むことを特徴とする請求項１記載の発光広告シート。
【請求項４】
印刷シートには樹脂材の補強層が積層され、前記補強層上に透明電極層、ＥＬ層及び誘電体層が積層されることを特徴とする請求項１記載の発光広告シート。
【請求項５】
パターン電極層とピクセル電極層との上には樹脂材の保護層が形成されることを特徴とする請求項１乃至３中何れか一つに記載の発光広告シート。
【請求項６】
透明電極層、ＥＬ層及び誘電体層が順次積層される固定パターン部と、透明電極層、ＥＬ層、誘電体層及び複数のピクセル電極層が順次積層される流動パターン部とのうちの少なくとも何れか一つからなるＥＬ広告領域が少なくとも１領域に形成され；
残りの領域に一般染料の印刷が可能な一般広告領域が形成される光透過性印刷シートを備えるステップと；
上記ＥＬ広告領域に対応する上記誘電体層に導電性インク材料により積層印刷されるパターン電極層を積層印刷するステップと；
上記一般広告領域に染料インクを利用して印刷パターンを印刷するステップと；
を含むことを特徴とする発光広告シートの製造方法。
【請求項７】
前記パターン電極層の積層印刷は、インクジェットプリンティング方法又はスクリーンプリンティング方法を利用して積層印刷されることを特徴とする請求項６記載の発光広告シートの製造方法。
【請求項８】
前記パターン電極層のインク材料は、低温硬化される導電性インク材料か、又はＵＶ硬化性光開始剤を含むことを特徴とする請求項６記載の発光広告シートの製造方法。
【請求項９】
印刷シートには樹脂材の補強層が積層され、前記補強層上に透明電極層、ＥＬ層及び誘電体層が積層されることを特徴とする請求項６記載の発光広告シートの製造方法。
【請求項１０】
上記パターン電極層とピクセル電極層との上には、樹脂材の保護層が形成されることを特徴とする請求項６乃至８中何れか一つに記載の発光広告シートの製造方法。
【発明の詳細な説明】
【技術分野】
【０００１】
本発明は、発光広告シート及びその製造方法に関するもので、より詳しくは、ＥＬ素子を用いた発光広告シート及びその製造方法に関するものである。
【背景技術】
【０００２】
一般に、バナーなどの広告シートは、印刷対象面に一般染料インクを利用してインクジェット又はスクリーン印刷などの印刷技法によりパターンを印刷する。
【０００３】
しかし、このような従来のバナーなどの広告シートは、印刷パターンの色相やデザイン的な表示効果だけを利用して印刷パターンを表示するので、夜間では印刷パターンの識別が不可能であるだけでなく、印刷パターンが固定されたデザインにより印刷されているため、広告効果に限界を有していた。
【０００４】
このような問題点を補完したものとして最近ではＥＬを用いた発光広告の技術が開示されている。
【０００５】
しかし、従来のＥＬ発光広告においては、同一印刷パターンを有する印刷製品の大量生産には適しているが、多品種少量生産に適した多様な印刷パターンを有する発光広告の大量生産には適しないという不都合があった。
【０００６】
また、従来ＥＬを用いた発光広告は、家庭やオフィスでの必要に応じて、単品や少量生産するには費用負担の面で事実上不可能であるという不都合があった。
【発明の概要】
【発明が解決しようとする課題】
【０００７】
本発明の目的は、広告効果に優れ、多品種少量生産が容易で、製造費用を著しく節減し得る、発光広告シート及びその製造方法を提供することにある。
【課題を解決するための手段】
【０００８】
本発明に係る発光広告シートにおいては、透明電極層、ＥＬ層及び誘電体層が順次積層されている固定パターン部と、透明電極層、ＥＬ層、誘電体層及び複数のピクセル電極層が順次積層されている流動パターン部とのうちの少なくとも何れか一つからなるＥＬ広告領域が少なくとも１領域に形成され；残りの領域には一般染料の印刷が可能な一般広告領域が形成されている光透過性印刷シートと；上記固定パターン部に対応する上記誘電体層が発光パターンを有するように導電性インク材料により積層印刷されるパターン電極層と；を含むことを特徴とする。
【０００９】
一方、本発明に係る発光広告シートの製造方法においては、透明電極層、ＥＬ層及び誘電体層が順次積層される固定パターン部と、透明電極層、ＥＬ層、誘電体層及び複数のピクセル電極層が順次積層される流動パターン部とのうちの少なくとも何れか一つからなるＥＬ広告領域が少なくとも１領域に形成され；残りの領域に一般染料の印刷が可能な一般広告領域が形成される光透過性印刷シートを備えるステップと；上記ＥＬ広告領域に対応する上記誘電体層に導電性インク材料により積層印刷されるパターン電極層を積層印刷するステップと；上記一般広告領域に染料インクを利用して印刷パターンを印刷するステップと；を含むことを特徴とする。
【００１０】
ここで、上記ＥＬ広告領域は、一部領域が、上記パターン電極層が形成される固定パターン部に形成され、残りの領域は複数のピクセル電極層により構成された流動パターン部に形成されることが好ましい。
【００１１】
また、上記パターン電極層の積層印刷は、インクジェットプリンティング方法又はスクリーンプリンティング方法を利用して積層印刷されることが効果的である。
【００１２】
また、上記パターン電極層のインク材料は、低温硬化される導電性インク材料か、又はＵＶ硬化性光開始剤を含むことがさらに好ましい。
【００１３】
さらに、印刷シートには樹脂材の補強層が積層され、上記補強層上に透明電極層、ＥＬ層及び誘電体層が積層されることがさらに効果的である。
【００１４】
また、パターン電極層とピクセル電極層の上には樹脂材の保護層が形成されることが好ましい。
【発明の効果】
【００１５】
以上の説明のように、本発明によれば、広告効果に優れ、多品種少量生産が容易で、その製造費用を著しく節減し得る、発光広告シート及びその製造方法が提供される。
【図面の簡単な説明】
【００１６】
【図１】本発明に係る発光広告シートの印刷シートを示した平面図である。
【図２】図１のＩＩ−ＩＩ線に係る印刷シートを示した部分断面図である。
【図３】図１のＩＩＩ−ＩＩＩ線に係る印刷シートを示した部分断面図である。
【図４】図１のＩＩＩ−ＩＩＩ線に係る印刷シートの他の例を示した部分断面図である。
【図５】本発明に係る発光広告シートの完成状態を示した平面図である。
【図６】図５のＶＩ−ＶＩ線に係る発光広告シートを示した部分断面図である。
【図７】図５のＶＩ−ＶＩ線に係る発光広告シートの他の例を示した部分断面図である。
【図８】本発明に係る発光広告シートの製造工程を示したブロック図である。
【発明を実施するための形態】
【００１７】
以下、添付の図面を参照して本発明を詳しく説明する。
【００１８】
図１は、本発明に係る発光広告シートの印刷シートを示した平面図、図２は、図１のＩＩ−ＩＩ線を示した部分断面図、図３は、図１のＩＩＩ−ＩＩＩ線を示した部分断面図、である。これらの図面に示したように、本発明に係る発光広告シート１は、一般広告領域１３とＥＬ広告領域１１を有する印刷シート１０と、印刷シート１０のＥＬ広告領域１１に形成される流動パターン部３３及び固定パターン部３１と、ＥＬ広告領域１１の固定パターン部３１に印刷されるパターン電極層（図６の３１ａ）を含む。
【００１９】
まず、印刷シート１０は、光の透過が可能な範囲内でシート材質の印刷シートや、樹脂状の印刷フィルム及び繊維材質のシート、ガラスなど多様な材質により形成され、透明又は半透明材質により構成されることができる。
【００２０】
上記印刷シート１０の一般広告領域１３は、一般染料インクを利用して一般印刷パターン（図６の１３ａ）を印刷する領域であって、一般染料を利用して印刷シート１０の上面に印刷パターンを直接印刷することが可能で、直接印刷が不可能な場合は一般染料印刷用の印刷シートを付着するか、異種材質をコーティング、印刷、又は積層処理した後、一般染料印刷を行うことができる。
【００２１】
また、上記印刷シート１０のＥＬ広告領域１１は、後述するＥＬ積層構造による発光パターンを形成するための領域であって、印刷シート１０の裏面に流動パターン部３３と固定パターン部３１に共通適用される透明電極層２３、ＥＬ層２５及び誘電体層２７を順次積層して予め形成される。
【００２２】
上記透明電極層２３は、導電性を有する微粒子の銀により構成された透明導電性インク材料により形成されるか、その他に導電性を有する金、亜鉛、グラファイト、銅、ＩＴＯ、カーボン、カーボンナノチューブ、導電性ポリマーなどまたはそれらの組合物からなる透明導電性インク材料により形成され、本発明の趣旨を外れない限り様々な材料が用いられる。
【００２３】
この時、上記透明電極層２３のインク材料にはＵＶ硬化性光開始剤を波長帯に合わせて包含させて、透明電極層２３が比較的低温のＵＶ硬化方法により硬化されるようにすることが好ましい。勿論、上記透明電極層２３は、自然硬化方法や低温熱硬化方法など硬化温度により印刷シート１０に損傷を与えない範囲内で様々な硬化方法により硬化される。
【００２４】
上記透明電極層２３は図示していない外部電源と電気的に連結される。ここで、上記印刷シート１０と透明電極層２３との間には、図７に示されるように、絶縁性樹脂材を利用して補強層２９を形成することで、印刷シート１０に透明電極層２３を形成するインクが吸収されることを防止すると同時に、印刷シート１０と透明電極層２３などのインク材料間の積層性能を補強することもできる。また、プラズマ処理、コロナ処理、化学薬品処理などを通して印刷シート１０と透明電極層２３などのインク材料間の積層性能を補強することもできる。更に、印刷シート１０と透明電極層２３はＩＴＯが既にコーティングされた透明フィルムや透明ガラスのように導電性材料が既にコーティングされた基板を購買して使用することができる。
【００２５】
上記ＥＬ層２５は、発光インク材料により形成され、インク材料にもＵＶ硬化性光開始剤を波長帯に合わせて包含させて、上記ＥＬ層２５が比較的低温のＵＶ硬化方法により硬化されるようにすることが好ましい。勿論、上記ＥＬ層２５も自然硬化方法や低温熱硬化方法など硬化温度により印刷シート１０に損傷を与えない範囲内で様々な硬化方法により硬化されることができる。上記ＥＬ層２５は、透明電極層２３と後述するパターン電極層（図６の３１ａ）及びピクセル電極層３３ａに流れる電流により誘電体層２７に電荷が分布されると発光する。
【００２６】
上記誘電体層２７は、チタン酸バリウムにより構成されたインク材料により形成され、この時、上記誘電体層２７のインク材料にもやはりＵＶ硬化性光開始剤を波長帯に合わせて包含させて比較的低温のＵＶ硬化方法により誘電体層２７が硬化されるようにすることが好ましい。勿論、上記誘電体層２７も自然硬化方法や低温熱硬化方法など硬化温度により印刷シート１０に損傷を与えない範囲内で様々な硬化方法により硬化される。
【００２７】
ここで、上記誘電体層２７の材料もチタン酸バリウムを含み本発明の趣旨を外れない限り、誘電体の役割を行う様々なインク材料を使用することが出来る。上記誘電体層２７は、透明電極層２３と後述するパターン電極層３１ａ及びピクセル電極層３３ａに電流が流れれば電荷が分布される。
【００２８】
一方、上記流動パターン部３３及び固定パターン部３１は、上記ＥＬ広告領域１１を適当に分割して分割された一方側の誘電体層２７上に複数のピクセル電極層３３ａを積層印刷し流動パターン部３３を形成すると、残りの領域にパターン電極層３１ａの積層印刷領域である固定パターン部３１が形成される。ここで、それぞれのピクセル電極層３３ａには独立的に電源が供給される。
【００２９】
また、パターン電極層３１ａ及びピクセル電極層３３ａの外側表面（図面上の下部面）には、図４に示されるように、透明樹脂材の保護層２８を積層してピクセル電極層３３ａなどを保護することが可能で、上記透明電極層２３とピクセル電極層３３ａには外部の供給電源を円滑に連結するためのバス電極（未図示）を追加印刷することができる。
【００３０】
ここで、上記流動パターン部３３と固定パターン部３１は印刷シート１０に共に形成されることが可能で、流動パターン部３３と固定パターン部３１中少なくとも何れか一つだけで印刷シート１０が形成されていてもよい。
【００３１】
このようにして、一般染料を利用して一般印刷できる一般広告領域１３と、複数のピクセル電極層３３ａにより形成された流動パターン部３３と、後述するパターン電極層３１ａが印刷される固定パターン部３１が備えられた印刷シート１０の原版が形成される。
【００３２】
上記印刷シート１０は予め製作されるものであって、使用者は印刷シート１０を購入して一般広告領域１３には一般染料印刷によりパターンを印刷し、流動パターン部３３には別途の制御機を利用して所望の文字や記号、イメージなどが時間とともに変化する流動パターンを具現することができる。
【００３３】
一方、パターン電極層３１ａは、図５及び図６に示されるように、印刷シート１０原版の固定パターン部３１領域の誘電体層２７の裏面（図面上では誘電体層２７の下部面）に導電性物質のインク材料を利用して所望の文字や記号及びイメージ等で印刷される。
【００３４】
上記パターン電極層３１ａは、導電性を有する微粒子の銀からなる導電性インク材料により印刷されるか、その他にも導電性を有する金、亜鉛、グラファイト、銅、ＩＴＯ、カーボン、カーボンナノチューブなどまたはそれらの組合物により構成された導電性インク材料により印刷される。
【００３５】
ここで、上記パターン電極層３１ａの積層印刷は、インクジェットプリンティングのようにダイレクト又はデジタルプリンティング方法を利用して積層印刷されることが好ましく、その他にスクリーンプリンティングのように、比較的簡単なプリンティング方法を利用して積層印刷される。
【００３６】
また、上記パターン電極層３１ａのインク材料にもＵＶ硬化性光開始剤を波長帯に合わせて包含させることで低温のＵＶ硬化及び比較的高温の熱硬化により上記パターン電極層３１ａが硬化されるようにすることが好ましい。勿論、ＵＶ光開始剤を包含せずに硬化されることもできる。上記パターン電極層３１ａは未図示の外部電源と電気的に連結される。
【００３７】
さらに、パターン電極層３１ａの外側表面（図面上の下部面）には、図７に示したように、透明樹脂材の保護層２８を積層してパターン電極層３１ａなどを保護することが可能で、透明電極層２３とパターン電極層３１ａには外部の供給電源を円滑に連結するためのバス電極（未図示）が追加印刷されることもできる。
【００３８】
以下、このような構造を有する本発明に係る発光広告シート１の製造過程を説明する。
【００３９】
本発明に係る発光広告シート１の製造は、図８に示したように、一般広告領域１３とＥＬ広告領域１１を有する印刷シート１０を備えるステップ（Ｓ０１）と、印刷シート１０の一般広告領域１３に一般印刷するステップ（Ｓ０２）と、印刷シート１０のＥＬ広告領域１１の固定パターン部３１の誘電体層２７上にパターン電極層３１ａを印刷したステップ（Ｓ０３）と、により構成される。
【００４０】
まず、印刷シート１０を備えるステップ（Ｓ０１）は、一般広告領域１３とＥＬ広告領域１１が形成された印刷シート１０を備えるステップであって、ＥＬ広告領域１１には、前述したように、透明電極層２３、ＥＬ層２５及び誘電体層２７が順次積層され、流動パターン部３３に複数のピクセル電極層３３ａが形成されている。上記印刷シート１０は予め製作されたものであって、原版そのままを使用することも可能で、発光広告シート１の大きさに合わせて適切に裁断して用いることもできる。
【００４１】
次いで、印刷シート１０の一般広告領域１３に一般印刷するステップ（Ｓ０２）は、一般染料インクを利用して所望の形態の一般印刷パターン（図５及び図６の１３ａ）を所定の印刷方法を利用して印刷するステップであって、普通のバナーなどの広告シート１を印刷する方法を利用することができる。
【００４２】
次いで、ＥＬ広告領域１１の固定パターン部３１の誘電体層２７上にパターン電極層３１ａを印刷するステップ（Ｓ０３）は、印刷シート１０のＥＬ広告領域１１の固定パターン部３１に該当する誘電体層２７上にインクジェット又はスクリーンなどの印刷方法を利用してパターン電極層３１ａを所定の印刷パターンに積層印刷して硬化させるステップである。
【００４３】
このような過程により製造された本発明に係る発光広告シート１は、透明電極層２３、ピクセル電極層３３ａ及びパターン電極層３１ａに電源が供給されて電流が流れると、誘電体層２７に電荷が分布されながら該当のピクセル電極層３３ａとパターン電極層３１ａに対応する領域のＥＬ層２５が発光する。
【００４４】
ＥＬ層２５で発光された光は、該当ピクセル電極層３３ａとパターン電極層３１ａのパターン形態を維持しながら光透過性印刷シート１０を介して外部に発散されるので、観察者は発光される所定の印刷パターンを肉眼で観察することができる。
【００４５】
この時、固定パターン部３１ではシンボルやイメージなどに対応するパターンが固定的に発光するようになり、流動パターン部３３ではユーザーの望む文字や記号及び簡単な動映像などを図示していない制御機を利用して時間とともに変化させながら発光させることで、様々な視覚的効果を表現することができる。
【００４６】
一方、印刷シート１０の一般広告領域１３には一般染料を利用して普通のバナーなどの一般広告シートに準ずる視覚的効果を得ることができる。
【００４７】
このように、本発明に係る発光広告シートは、一般印刷パターン、発光される印刷パターン及び発光しながら時間とともに変化する印刷パターンを表現することができるので、視覚的に伝達される広告効果を極大化することができる。
【００４８】
また、印刷シートの原版は簡単に大量に生産できるので、印刷シート原版を購入して一般印刷とパターン電極層の印刷を所望の形態に印刷することで、多様な発光パターンと一般印刷パターンを有する印刷製品を大量生産することができる。
【００４９】
さらに、原版を少量又は単品にて購入し、小規模のオフィス等で安価でバナーなどの発光広告シートを少量生産するか、又は単品で製作することが非常に容易になる。
【符号の説明】
【００５０】
１０  印刷シート
１１  ＥＬ広告領域
１３  一般広告領域
３１  固定パターン部
３３  流動パターン部
【図１】
2010526410.tif 000003
【図２】
2010526410.tif 000004
【図３】
2010526410.tif 000005
【図４】
2010526410.tif 000006
【図５】
2010526410.tif 000007
【図６】
2010526410.tif 000008
【図７】
2010526410.tif 000009
【図８】
2010526410.tif 000010
【国際調査報告】
2010526410.tif 000011
2010526410.tif 000012